(57)【特許請求の範囲】
【請求項１】
少なくとも第１から第３の辺を有する多角形の形状を有し、前記第１から第３の辺のそれぞれの縁部に沿って配置された溝部または穴を有する床板と、
板状の形状を有し、下端部が前記溝部または前記穴に嵌め込まれ、前記床板の前記第１から第３の辺の縁部にそれぞれ垂設される少なくとも第１から第３の壁板と、
を備えるパーティションにおいて、
前記床板および前記壁板は、それぞれの長辺の長さを、短辺の長さの２倍とし、
かつ、この床板の前記長辺には、前記壁板の前記短辺が二枚垂設される構成を利用し、
この床板は、第１の床板〜第ｎの床板で、この壁板は、第１の壁板〜第ｎの壁板とするとともに、この第１の床板〜第ｎの床板は、第１から第４の辺を有する四角形の形状であって、
前記第１の床板の長辺には、前記第１の壁板および第２の壁板が垂設され、この第１の床板の短辺には、第３の壁板が垂設され、
第２の床板の長辺には、第４の壁板、および第５の壁板が垂設されるとともに、この第２の床板の短辺には、第６の壁板が垂設され、
第３の床板の短辺には、第７の壁板が垂設されるとともに、この第３の床板の長辺には、第８の壁板、および第９の壁板が垂設され、
前記第１の壁板は、前記第２の壁板と接続され、前記第２の壁板は、前記第３の壁板と接続され、前記第３の壁板は、前記第４の壁板と接続され、同様に第ｎ−２の壁板は、第ｎ−１の壁板と、および前記第ｎ−１の壁板は、前記第ｎの壁板と接続されるとともに、前記第ｎの壁板と前記第１の壁板との間で、かつ前記第ｎの床板の垂設壁板無しの辺部に空間が設けられる、
ことを特徴とするパーティション。
【請求項２】
前記床板は、前記縁部に沿って配置された前記溝部を有し、
前記第１から第ｎの壁板の下端部は、前記溝部に嵌め込まれる、
ことを特徴とする請求項１に記載のパーティション。
【請求項３】
前記床板は、前記縁部に沿って配置されたほぞ穴を有し、
前記第１から第ｎの壁板は、下端部に前記ほぞ穴に嵌まる突起部を有し、
前記突起部は、前記ほぞ穴に嵌め込まれる、
ことを特徴とする請求項１または２に記載のパーティション。
【請求項４】
前記床板は、前記縁部に沿って配置された貫通孔を有し、
前記第１から第ｎの壁板は、下端部に前記貫通孔に嵌まる突起部を有し、
前記突起部は、前記貫通孔に嵌め込まれる、
ことを特徴とする請求項１または２に記載のパーティション。
【請求項５】
前記床板に垂設された前記第１から第ｎの壁板のうち少なくとも１つは、上部にのぞき窓を有する、
ことを特徴とする請求項１から４の何れか１項に記載のパーティション。
【請求項６】
Ｌ字形状を有し、前記Ｌ字形状に沿って延びる溝を有するＬ字状の連結部を有し、
前記Ｌ字状の連結部は、前記第２の壁板と前記第３の壁板との上端部のコーナー、前記第５の壁板と前記第６の壁板との上端部のコーナー、および前記第７の壁板と前記第８の壁板との上端部のコーナーに配置され、前記第２の壁板と前記第３の壁板との上端部のコーナー、前記第５の壁板と前記第６の壁板との上端部のコーナー、および前記第７の壁板と前記第８の壁板との上端部のコーナーを結合する、
ことを特徴とする請求項１から５の何れか１項に記載のパーティション。
【請求項７】
棒状部材からなる補強部材を有し、
前記補強部材は、前記第２の壁板の上端部と前記第３の壁板の上端部、前記第５の壁板の上端部と前記第６の壁板の上端部、および前記第７の壁板の上端部と前記第８の壁板の上端部に掛け渡される、
ことを特徴とする請求項１から６の何れか１項に記載のパーティション。
【請求項８】
前記床板は、前記第１の床板〜前記第ｎの床板の、複数の床パネルを有する、
ことを特徴とする請求項１から７の何れか１項に記載のパーティション。
【請求項９】
前記床パネルは、発泡スチロールまたはプラスチック段ボールを含む樹脂を用いて作成される、
ことを特徴とする請求項８に記載のパーティション。
【請求項１０】
前記第１から前記第ｎの壁板のうち少なくとも１つは、複数の壁パネルを有する、
ことを特徴とする請求項１から９の何れか１項に記載のパーティション。
【請求項１１】
前記壁パネルは、発泡スチロールまたはプラスチック段ボールを含む樹脂を用いて作成される、
ことを特徴とする請求項１０に記載のパーティション。
【請求項１２】
柱形状を有し、長手方向に沿って延びる溝を有するＩ字状の連結部を備え、
前記Ｉ字状の連結部は、隣接する前記壁パネルの上部のつなぎ目に配置され、互いに隣接する前記壁パネルの上部のつなぎ目を連結する、
ことを特徴とする請求項１０または１１に記載のパーティション。
【請求項１３】
前記第１から第ｎの壁板で囲まれた空間に配置されたベッドを備え、
前記ベッドは、天板と、前記天板の下に配置された中空の箱と、を備える、
ことを特徴とする請求項１から１２の何れか１項に記載のパーティション。
【発明の詳細な説明】
【技術分野】
【０００１】
本発明は、パーティションに関する。
【背景技術】
【０００２】
災害時などでは、小中学校の体育館などに避難することが行われている。長期にわたる避難生活では、一人ひとりの居場所が狭く、しかも仕切られていないことから、そこでの生活のストレスは大きい。このため、避難所では、パーティションが用いられることがある。特許文献１は、ヒンジ加工によりほぼ直角に曲げて、断面Ｌ字型としたボード部材を備えるパーティションを開示する。
【０００３】
避難所運営計画では、災害発生時には３．３ｍ２あたり最大４名が収容される。これだと横になるのも難しく、座って一夜を過ごすといった広さである。１人当たりの面積（通路や共用部分を含む）は、避難所を出る人がだんだん多くなることから、１週間後には１人約１ｍ２、２か月後には１人約２ｍ２、３か月後には１人約３ｍ２と広くなる。
【０００４】
１人約１ｍ２であると、プライバシーなどまったく問題にならないほど狭いが、１人約２ｍ２程度になってくると、逆に見渡せるので、プライバシーが気になるという問題がある。また、子供の泣き声や消灯後の話し声などの音が遮断できないという問題がある。
【先行技術文献】
【特許文献】
【０００５】
【特許文献１】特開２００７−１３８５３８号公報
【発明の概要】
【発明が解決しようとする課題】
【０００６】
特許文献１に記載のパーティションは、ボード部材を直角に曲げて、断面Ｌ字型としているため、前後左右の４方向のうち２方向にのみ壁面が存在する構造である。このため、特許文献１に記載のパーティションでは、プライバシーが気になるという問題、音が遮断できないという問題を解決することは困難である。こうした、避難所で長期に生活する上での問題を解決してくれる、理想的なソリューションは、カプセルホテルである。しかし、カプセルユニットは、高額であるため避難所に気軽に並べられる値段ではない。
【０００７】
本発明は、上述した事情に鑑みてなされたものであり、プライバシーの保護が図れ、持運び、組み立てが簡単、容易であって、かつ速やかにできること、または再利用可能で、清潔に保てるパーティションを提供することを目的とする。
【課題を解決するための手段】
【０００９】
少なくとも第１から第３の辺を有する多角形の形状を有し、前記第１から第３の辺のそれぞれの縁部に沿って配置された溝部または穴を有する床板と、
板状の形状を有し、下端部が前記溝部または前記穴に嵌め込まれ、前記床板の前記第１から第３の辺の縁部にそれぞれ垂設される少なくとも第１から第３の壁板と、
を備えるパーティションにおいて、
前記床板および前記壁板は、それぞれの長辺の長さを、短辺の長さの２倍とし、
かつ、この床板の前記長辺には、前記壁板の前記短辺が二枚垂設される構成を利用し、
この床板は、第１の床板〜第ｎの床板で、この壁板は、第１の壁板〜第ｎの壁板とするとともに、この第１の床板〜第ｎの床板は、第１から第４の辺を有する四角形の形状であって、
前記第１の床板の長辺には、前記第１の壁板および第２の壁板が垂設され、この第１の床板の短辺には、第３の壁板が垂設され、
第２の床板の長辺には、第４の壁板、および第５の壁板が垂設されるとともに、この第２の床板の短辺には、第６の壁板が垂設され、
第３の床板の短辺には、第７の壁板が垂設されるとともに、この第３の床板の長辺には、第８の壁板、および第９の壁板が垂設され、
前記第１の壁板は、前記第２の壁板と接続され、前記第２の壁板は、前記第３の壁板と接続され、前記第３の壁板は、前記第４の壁板と接続され、同様に第ｎ−２の壁板は、第ｎ−１の壁板と、および前記第ｎ−１の壁板は、前記第ｎの壁板と接続されるとともに、前記第ｎの壁板と前記第１の壁板との間で、かつ前記第ｎの床板の垂設壁板無しの辺部に空間が設けられるとよい。
【００１０】
前記床板は、前記縁部に沿って配置された前記溝部を有し、
前記第１から第ｎの壁板の下端部は、前記溝部に嵌め込まれるとよい。
【００１１】
前記床板は、前記縁部に沿って配置されたほぞ穴を有し、
前記第１から第ｎの壁板は、下端部に前記ほぞ穴に嵌まる突起部を有し、
前記突起部は、前記ほぞ穴に嵌め込まれるとよい。
【００１２】
前記床板は、前記縁部に沿って配置された貫通孔を有し、
前記第１から第ｎの壁板は、下端部に前記貫通孔に嵌まる突起部を有し、
前記突起部は、前記貫通孔に嵌め込まれるとよい。
【００１３】
前記床板に垂設された前記第１から第ｎの壁板のうち少なくとも１つは、上部にのぞき窓を有するとよい。
【００１４】
Ｌ字形状を有し、前記Ｌ字形状に沿って延びる溝を有するＬ字状の連結部を有し、
前記Ｌ字状の連結部は、前記第２の壁板と前記第３の壁板との上端部のコーナー、前記第５の壁板と前記第６の壁板との上端部のコーナー、および前記第７の壁板と前記第８の壁板との上端部のコーナーに配置され、前記第２の壁板と前記第３の壁板との上端部のコーナー、前記第５の壁板と前記第６の壁板との上端部のコーナー、および前記第７の壁板と前記第８の壁板との上端部のコーナーを結合するとよい。
【００１５】
棒状部材からなる補強部材を有し、
前記補強部材は、前記第２の壁板の上端部と前記第３の壁板の上端部、前記第５の壁板の上端部と前記第６の壁板の上端部、および前記第７の壁板の上端部と前記第８の壁板の上端部に掛け渡されるとよい。
【００１６】
前記床板は、前記第１の床板〜前記第ｎの床板の、複数の床パネルを有するとよい。
【００１７】
前記床パネルは、発泡スチロールまたはプラスチック段ボールを含む樹脂を用いて作成されるとよい。
【００１８】
前記第１から前記第ｎの壁板のうち少なくとも１つは、複数の壁パネルを有するとよい。
【００１９】
前記壁パネルは、発泡スチロールまたはプラスチック段ボールを含む樹脂を用いて作成されるとよい。
【００２０】
柱形状を有し、長手方向に沿って延びる溝を有するＩ字状の連結部を備え、
前記Ｉ字状の連結部は、隣接する前記壁パネルの上部のつなぎ目に配置され、互いに隣接する前記壁パネルの上部のつなぎ目を連結するとよい。
【００２１】
前記第１から第ｎの壁板で囲まれた空間に配置されたベッドを備え、
前記ベッドは、天板と、前記天板の下に配置された中空の箱と、を備えるとよい。
【発明の効果】
【００２２】
本発明によれば、プライバシーの保護が図れ、持運び、組み立てが簡単、容易であって、かつ速やかにできること、または再利用可能で、清潔に保てるパーティションを提供することが可能になる。
そして、望ましくは、７分から１０分程度で、組立てができるパーティションの提供が可能であって、例えば、ほぞ穴構造により達成される。
【図面の簡単な説明】
【００２３】
【図１】本発明の実施の形態に係るパーティションの一例を示す斜視図である。
【図２】（Ａ）は、本発明の実施の形態に係るパーティションの床板を示す正面図であり、（Ｂ）は、床板を示す側面図である。
【図３】本発明の実施の形態に係るパーティションを示す分解図である。
【図４】（Ａ）は、本発明の実施の形態に係るパーティションの壁パネルを示す正面図であり、（Ｂ）は、壁パネルを示す側面図であり、（Ｃ）は、壁パネルを示す斜視図である。
【図５】（Ａ）は、本発明の実施の形態に係るパーティションのＬ字状の連結部を示す正面図であり、（Ｂ）および（Ｃ）は、Ｌ字状の連結部を示す斜視図である。
【図６】（Ａ）は、本発明の実施の形態に係るパーティションのＩ字状の連結部を示す正面図であり、（Ｂ）は、Ｉ字状の連結部を示す側面図であり、（Ｃ）および（Ｄ）は、Ｉ字状の連結部を示す斜視図である。
【図７】本発明の実施の形態に係るパーティション内に配置されるベッドを示す斜視図である。
【図８】本発明の実施の形態に係るパーティション内に配置されるベッドを示す分解図である。
【図９】本発明の実施の形態に係るパーティションを分解した状態を示す斜視図である。
【図１０】本発明の実施の形態に係るパーティションを運搬する状態を示す図である。
【図１１】本発明の実施の形態に係るパーティションを組み立てた状態を示す斜視図である。
【図１２】本発明の実施の形態に係るパーティションを設置した状態を示す斜視図である。
【図１３】（Ａ）は、本発明の変形例に係るパーティションの床板と壁板との接合部を示す断面図であり、（Ｂ）および（Ｃ）は、接合部を示す斜視図である。（その１）
【図１４】（Ａ）は、本発明の変形例に係るパーティションの床板と壁板との接合部を示す断面図であり、（Ｂ）および（Ｃ）は、接合部を示す斜視図である。（その２）
【図１５】本発明の変形例に係るパーティションの床板を示す正面図である。
【図１６】本発明の変形例に係るパーティションを示す上面図である。
【図１７】本発明の変形例に係るパーティションを示す側面図である。
【図１８】（Ａ）は、本発明の変形例に係る壁パネルを示す側面図であり、（Ｂ）は、壁パネルを示す上面図であり、（Ｃ）は、組み立てた壁パネルを示す上面図である。
【図１９】本発明の変形例に係るパーティションの床板を示す斜視図である。（その１）
【図２０】本発明の変形例に係るパーティションの床板を示す斜視図である。（その２）
【発明を実施するための形態】
【００２４】
以下、本発明を実施するための形態に係るパーティションについて説明する。
【００２５】
実施の形態に係るパーティション１００は、図１に示すように、床板１０と、壁板２０と、連結部３１、３２と、を有し、パーティション１００内にはベッド４０が配置される。パーティション１００は、災害時などに、避難所でプライバシーを保護し、音を遮断するために用いられる。
【００２６】
床板１０は、図２（Ａ）に示すように、第１から第４等（第ｎ、以下省略）の辺１１ａ〜１１ｎを有する四角形の形状を有し、第１から第４の辺１１ａ〜１１ｎのそれぞれの縁部に沿って配置された溝部１２を有する。ここでは、床板１０は、長方形の形状を有する例について説明する。床板１０は、発泡スチロールまたはプラスチック段ボールを含む樹脂を用いて作成される。なお、素材は、これらに限定されず、ポリエチレン、ポリ塩化ビニル、ポリスチレン、ポリプロピレン等のプラスチック素材もありえる。第１から第３の辺１１ａ〜１１ｃのそれぞれの縁部に沿って配置された溝部１２は、それぞれ第１から第３の辺１１ａ〜１１ｃの一端から他端まで配置されている。第４の辺１１ｎの縁部に沿って配置された溝部１２は、第４の辺１１ｎの一端から第４の辺１１ｎの長さの３分の２まで配置されている。また、床板１０は、第１から第３の床パネル１０ａ〜１０ｎを有する。第１から第３の床パネル１０ａ〜１０ｎは、それぞれの長辺の長さＬ１が短辺の長さＬ２の２倍である形状を有する。第２と第３の床パネル１０ｂ、１０ｎは、長辺同士が接触して配置され、第１の床パネル１０ａは、第２と第３の床パネル１０ｂ、１０ｎの短辺と第１の床パネル１０ａの長辺が接触して配置される。好ましくは、長辺の長さＬ１は、１８００ｍｍであり、短辺の長さＬ２は、９００ｍｍである。これにより、床板１０は、長さＬ１＝１８００ｍｍと、長さＬ３＝長さＬ１＋長さＬ２＝２７００ｍｍと、の大きさを有する。
【００２７】
溝部１２は、図２（Ｂ）に示すように、幅Ｗ１および深さＤ１の断面コの字状の形状を有する。溝部１２は、床板１０の端部から幅Ｗ２の内側に配置されている。また、床板１０は、厚みＤ２を有する。例えば、幅Ｗ１は、３０ｍｍであり、深さＤ１は、３０ｍｍ〜４０ｍｍである。幅Ｗ２は、壁板２０で囲まれる空間を大きくできるように、小さいことが好ましく、例えば、２０ｍｍである。厚みＤ２は、任意に設定できるが、好ましくは、５０〜７０ｍｍである。
【００２８】
壁板２０は、図３に示すように、板状の形状を有し、下端部２１が溝部１２に嵌め込まれ、床板１０の第１から第４の辺１１ａ〜１１ｎの縁部にそれぞれ垂設される第１から第４の壁板２０ａ〜２０ｄを含む。第１の壁板２０ａは、第２の壁板２０ｂと直角に接続され、第２の壁板２０ｂは、第３の壁板２０ｃと直角に接続され、第３の壁板２０ｃは、第４の壁板２０ｄと直角に接続され、第４の壁板２０ｄと第１の壁板２０ａとの間には、空間が設けられる。これにより、内部が壁板２０により囲まれ、プライバシーが保護され、第４の壁板２０ｄと第１の壁板２０ａとの間の空間から人の出入りが可能である。第１の壁板２０ａは、壁パネル２２ａ、２２ｂを含み、第２の壁板２０ｂは、壁パネル２２ｃ〜２２ｅを含み、第３の壁板２０ｃは、壁パネル２２ｆ、２２ｇを含み、第４の壁板２０ｄは、壁パネル２２ｈ、２２ｉを含む。
【００２９】
壁パネル２２ａ〜２２ｉ（壁パネル２２ｎ、以下省略）は、発泡スチロールまたはプラスチック段ボールを含む樹脂を用いて作成される。なお、素材は、これらに限定されず、ポリエチレン、ポリ塩化ビニル、ポリスチレン、ポリプロピレン等のプラスチック素材もありえる。図４（Ａ）〜図４（Ｃ）に示すように、高さＨ１、幅Ｗ３および厚みＴ１の長方形の板形状を有する。また、壁パネル２２ａ〜２２ｉは、外から中の様子がわかるように、上部にのぞき窓２３を有する。のぞき窓２３は、緊急時、診察等の目的でも利用できる。のぞき窓２３の下端部の高さは、人の身長より高いことが好ましく、例えば、１８００ｍｍであるが、限定されない。幅Ｗ３は、床板１０の一辺に２または３枚の壁パネル２２ａ〜２２ｉを配置できるように、第１から第３の床パネル１０ａ〜１０ｎの短辺の長さＬ２と同じであることが好ましい。厚みＴ１は、壁パネル２２ａ〜２２ｉを溝部１２に嵌め込むことができるように、溝部１２の幅Ｗ１と同じであることが好ましい。また、厚みＴ１は、音を遮断できる厚みであると、作業工程が短縮でき、強度確保にも有効であり、好ましい。のぞき窓２３の高さＨ２は、好ましくは、２００ｍｍ〜４００ｍｍであり、より好ましくは、３４０ｍｍである。のぞき窓２３の幅Ｗ４は、好ましくは、３００ｍｍ〜５００ｍｍである。尚、のぞき窓２３は、こののぞき窓２３を作るためにカットした破片で、隠蔽することもできる。また、のぞき窓２３の数は、第１の辺１１ａ、第２の辺１１ｂ等の各辺において、限定されない。
【００３０】
図３に示すＬ字状の連結部３１およびＩ字状の連結部３２は、隣接する壁パネル２２ａ〜２２ｉの上部のつなぎ目２４、２５に配置され、壁パネル２２ａ〜２２ｉを連結するものである。Ｌ字状の連結部３１は、直角に配置された壁パネル２２ｂと壁パネル２２ｃ、壁パネル２２ｅと壁パネル２２ｆ、および壁パネル２２ｇと壁パネル２２ｈの上部のコーナーに配置される。Ｉ字状の連結部３２は、並んで配置された壁パネル２２ａと壁パネル２２ｂ、壁パネル２２ｃと壁パネル２２ｄ、壁パネル２２ｄと壁パネル２２ｅ、壁パネル２２ｇと壁パネル２２ｆ、および壁パネル２２ｈと壁パネル２２ｉの上部のつなぎ目２５に配置される。
【００３１】
Ｌ字状の連結部３１は、図５（Ａ）〜図５（Ｃ）に示すように、Ｌ字状の形状を有し、裏面から見てＬ字形状に形成された断面コの字状の溝部３３を有する。溝部３３の幅は、壁パネル２２ａ〜２２ｉの厚みＴ１と同じであるとよい。このようにすることで、壁パネル２２ａ〜２２ｉを溝部３３に嵌め込むことができ、壁パネル２２ａ〜２２ｉを上部で固定することができる。
【００３２】
Ｉ字状の連結部３２は、図６（Ａ）〜図６（Ｄ）に示すように、柱形状を有し、長手方向に沿って延びる断面コの字状の溝部３４を有する。溝部３４の幅は、壁パネル２２ａ〜２２ｉの厚みＴ１と同じであるとよい。このようにすることで、壁パネル２２ａ〜２２ｉを溝部３４に嵌め込むことができ、壁パネル２２ａ〜２２ｉを上部で固定することができる。
【００３３】
ベッド４０は、図７に示すように、天板４１と、底板４２と、複数のボックス４３と、を有する。天板４１は、平板状の形状を有する。天板４１の上にはマットレス等が配置される。底板４２は、平板状の形状を有し、床板１０の上に配置される。複数のボックス４３は、天板４１と底板４２との間に配置され、天板４１の高さを確保するために用いられる。また、ボックス４３は、図８に示すように、それぞれ本体４４と蓋４５とを有する。本体４４は、上部が開放した直方体形状を有する中空の箱である。蓋４５は、本体４４の上に配置される。ボックス４３は、中空の箱であるため、内部に貴重品等を入れておくと、就寝中に紛失する虞が少なくなる。
【００３４】
つぎに、上述したパーティション１００を組み立てる方法について説明する。
【００３５】
まず、パーティション１００の部品である図９に示す第１から第３の床パネル１０ａ〜１０ｎと、壁パネル２２ａ〜２２ｉと、Ｌ字状の連結部３１およびＩ字状の連結部３２と、を含むパーティション１００の組み立て部品を準備する。
【００３６】
つぎに、図１０に示すように、パーティション１００の組み立て部品をパーティション１００の設置場所に運搬する。
【００３７】
つぎに、パーティション１００の設置場所に、図２（Ａ）に示すように、第１から第３の床パネル１０ａ〜１０ｎを設置する。このとき、溝部１２が直線になるように第１から第３の床パネル１０ａ〜１０ｎを並べる。また、第１の床パネル１０ａと第２と第３の床パネル１０ｂ、１０ｎとの接合部、および第２の床パネル１０ｂと第３の床パネル１０ｎとの接合部を養生テープ１３で固定するとよい。これにより、床板１０が設置される。
【００３８】
つぎに、図３に示すように、壁パネル２２ａ〜２２ｉを溝部１２に嵌め込む。好ましくは、壁パネル２２ａから壁パネル２２ｉまでを順番に嵌め込むとよい。このようにすることで、１人または少人数で組み立てることができる。
【００３９】
つぎに、壁パネル２２ａ〜２２ｉの上部のつなぎ目２４、２５にＬ字状の連結部３１およびＩ字状の連結部３２を配置する。詳細には、Ｌ字状の連結部３１は、直角に配置された壁パネル２２ｂと壁パネル２２ｃ、壁パネル２２ｅと壁パネル２２ｆ、および壁パネル２２ｇと壁パネル２２ｈの上部のコーナーに配置する。Ｉ字状の連結部３２は、並んで配置された壁パネル２２ａと壁パネル２２ｂ、壁パネル２２ｃと壁パネル２２ｄ、壁パネル２２ｄと壁パネル２２ｅ、壁パネル２２ｇと壁パネル２２ｆ、および壁パネル２２ｈと壁パネル２２ｉの上部のつなぎ目２５に配置する。このようにすることで、壁パネル２２ａ〜２２ｉが倒れないように固定される。これにより、壁板２０が床板１０の上に配置され、図１１に示すように、パーティション１００の組み立てが完了する。
【００４０】
つぎに、図１２に示すように、壁板２０で囲まれた内部にベッド４０を配置する。まず、床板１０の上に底板４２を配置する。つぎに、底板４２の上に複数のボックス４３を配置する。つぎに、複数のボックス４３の上に天板４１を配置する。
【００４１】
以上のように、本実施の形態のパーティション１００によれば、内部空間が壁板２０で囲まれるため、プライバシーを保護し、音を遮断することができ、コストが掛かからない。また、発泡スチロールまたはプラスチック段ボールなどの樹脂を用いて作成されるため、分解して人が容易に運搬することが可能である。また、床板１０が第１から第３の床パネル１０ａ〜１０ｎに分解でき、壁板２０が壁パネル２２ａ〜２２ｉに分解でき、コンパクトに収容できるため、容易に保管することが可能である。また、上部にのぞき窓２３を有するため、監視員等がパーティション１００の中の様子を確認することが可能である。また、壁パネル２２ａ〜２２ｉを床板１０に形成された溝部１２に嵌め込み、壁パネル２２ａ〜２２ｉの上部のつなぎ目２４、２５にＬ字状の連結部３１およびＩ字状の連結部３２に配置することで、容易に組み立てることができる。パーティション１００内に配置されたベッド４０は、中空の箱である複数のボックス４３を備えるため、内部に貴重品等を入れておくと、就寝中に紛失する虞が少なくなる。
【００４２】
（変形例）
上述の実施の形態では、床板１０に形成された溝部１２に壁板２０の下端部２１が嵌め込まれる例について説明した。しかし、壁板２０は、床板１０に垂設できればよく、構造は特に限定されない。例えば、図１３（Ａ）〜図１３（Ｃ）に示すように、床板１０は、縁部に沿って配置されたほぞ穴１４を有し、壁板２０は、下端部にほぞ穴１４に嵌まる突起部２６を有し、突起部２６は、ほぞ穴１４に嵌め込まれてもよい。このようにすることで、壁板２０は、床板１０に垂設できる。ほぞ穴１４の底面の幅Ｗ５が開口部の幅Ｗ６より大きいことが好ましい。また、突起部２６の先端の幅Ｗ７が、根本部の幅Ｗ８より大きいことが好ましい。このようにすることで、壁板２０を床板１０により強固に固定できる。
【００４３】
また、図１４（Ａ）〜図１４（Ｃ）に示すように、床板１０は、縁部に沿って配置された貫通孔１５を有し、壁板２０は、下端部に貫通孔１５に嵌まる突起部２７を有し、突起部２７は、貫通孔１５に嵌め込まれてもよい。突起部２７の形状は、図１４（Ｂ）に示す板状の突起であってもよく、図１４（Ｃ）に示す柱状の突起であってもよい。貫通孔１５に突起部２７が嵌め込まれるため、貫通しない穴に嵌め込む場合に比べて突起の長さを長くできるため、壁板２０を床板１０により強固に固定できる。
【００４４】
上述の実施の形態では、床板１０が第１から第３の床パネル１０ａ〜１０ｎを有する例について説明した。しかし、床板１０の形状大きさは特に限定されない。例えば、図１５に示すように、床板１０は、第１から第３の床パネル１０ａ〜１０ｎに加えて、第４と第５の床パネル１０ｄ、１０ｅを有する。第４の床パネル１０ｄは、第１から第３の床パネル１０ａ〜１０ｎと同じ大きさ形状を有する。第５の床パネル１０ｅは、第１から第４の床パネル１０ａ〜１０ｄの短辺の長さと同じ長さを有する正方形の形状を有する。床板１０の大きさを任意の大きさに設定できるため、避難者の家族構成等に応じた大きさのパーティション１００を提供できる。床板１０の形状は、長方形の形状に限定されず、平行四辺形や台形などの４つの辺で構成される四角形であってもよい。
【００４５】
上述の実施の形態では、直角に配置された壁パネル２２ｂ、２２ｅ、２２ｇ、と壁パネル２２ｃ、２２ｆ、２２ｈ、の上部のコーナーにＬ字状の連結部３１が配置される例について説明した。直角に配置された第１から第４の壁板２０ａ〜２０ｄは、固定されればよく、図１６に示すように、上部に第１から第４の壁板２０ａ〜２０ｄおよび壁板２０ｆの倒れ防止する棒状部材からなる補強部材３５を有してもよい。補強部材３５は、直角に配置された第１の壁板２０ａと第２の壁板２０ｂの上端部、第２の壁板２０ｂと第３の壁板２０ｃの上端部、第３の壁板２０ｃと第４の壁板２０ｄの上端部、および第１の壁板２０ａと壁板２０ｆの上端部に掛け渡される。これにより、第１から第４の壁板２０ａ〜２０ｄおよび壁板２０ｆの倒れ防止することができる。補強部材３５は、Ｌ字状の連結部３１の代わりに用いてもよく、Ｌ字状の連結部３１と共に用いてもよい。
【００４６】
上述の実施の形態では、天上が開放されている例について説明したが、図１７に示すように、壁板２０の上端に天井パネル３６が配置されていてもよい。このようにすることで、上部からの光を遮ることも可能であり、更にプライバシーを保護することができる。また、パーティション１００の上端部分に、天井パネル３６に代えて、被覆布（図示しない）等をかぶせてもよい。
【００４７】
上述の実施の形態では、壁パネル２２ａ〜２２ｉが連結部３１、３２により、連結される例について説明した。壁パネル２２ａ〜２２ｉを連結することができれば、図１８（Ａ）〜図１８（Ｃ）に示すように、壁パネル２２ａ〜２２ｉの側面または主面の端部に配置された面ファスナー２８により連結されてもよい。このようにすることで、組み立ておよび分解を容易にすることができる。また、プラスチック段ボール２９で作成された壁パネル２２ａ〜２２ｉの上端部をパネル補強部材３７により補強してもよい。このようにすることで、壁パネル２２ａ〜２２ｉの強度を向上させ耐久性を得ることができる。
【００４８】
上述の実施の形態では、床板１０が四角形の形状を有する場合について説明した。床板１０は、四角形に限定されず、少なくとも第１から第３の辺を有する三角形以上の多角形の形状を有してもよい。例えば、図１９に示すように、床板１０が第１から第３の辺１１ａ〜１１ｃを有する三角形の形状を有してもよい。また、図２０に示すように、床板１０が第１から第６の辺１１ａ〜１１ｆを有する六角形の形状を有してもよい。このようにすることで、避難所のレイアウトに応じた形状のパーティション１００を提供できる。
【００４９】
以上、本発明の好ましい実施形態について説明したが、本発明は係る特定の実施形態に限定されるものではなく、本発明には、特許請求の範囲に記載された発明とその均等の範囲とが含まれる。
【符号の説明】
【００５０】
１０…床板
１０ａ…第１の床パネル
１０ｂ…第２の床パネル
１０ｎ…第３の床パネル
１０ｄ…第４の床パネル
１０ｅ…第５の床パネル
１１ａ…第１の辺
１１ｂ…第２の辺
１１ｃ…第３の辺
１１ｎ…第４の辺
１１ｅ…第５の辺
１１ｆ…第６の辺
１２…溝部
１３…養生テープ
１４…ほぞ穴
１５…貫通孔
２０…壁板
２０ａ…第１の壁板
２０ｂ…第２の壁板
２０ｃ…第３の壁板
２０ｄ…第４の壁板
２０ｆ…壁板
２０ｅ…第５の壁板
２０ｄ…第６の壁板
２１…下端部
２２ａ〜２２ｉ…壁パネル
２３…のぞき窓
２４、２５…つなぎ目
２６、２７…突起部
２８…面ファスナー
２９…プラスチック段ボール
３１、３２…連結部
３３、３４…溝部
３５…補強部材
３６…天井パネル
３７…パネル補強部材
４０…ベッド
４１…天板
４２…底板
４３…ボックス
４４…本体
４５…蓋
１００…パーティション
Ｌ１、Ｌ２、Ｌ３…長さ
Ｗ１〜Ｗ８…幅
Ｄ１…深さ
Ｄ２…厚み
Ｔ１…厚み
Ｈ１、Ｈ２…高さ
【要約】
【課題】プライバシーの保護が図れ、持運び、組み立てが簡単、容易であって、かつ速やかにできること、または再利用可能で、清潔に保てるパーティションを提供する。
【解決手段】パーティション１００は、床板１０と、第１から第４の壁板２０ａ〜２０ｄと、を備える。床板１０は、第１から第４の辺１１ａ〜１１ｎを有する四角形の形状を有し、第１から第４の辺１１ａ〜１１ｎのそれぞれの縁部に沿って配置された溝部１２または穴を有する。第１から第４の壁板２０ａ〜２０ｄは、板状の形状を有し、下端部２１が溝部１２または穴に嵌め込まれ、床板１０の第１から第４の辺１１ａ〜１１ｎの縁部にそれぞれ垂設される。
【選択図】図３【図１】
0006940855.tif 000002
【図２】
0006940855.tif 000003
【図３】
0006940855.tif 000004
【図４】
0006940855.tif 000005
【図５】
0006940855.tif 000006
【図６】
0006940855.tif 000007
【図７】
0006940855.tif 000008
【図８】
0006940855.tif 000009
【図９】
0006940855.tif 000010
【図１０】
0006940855.tif 000011
【図１１】
0006940855.tif 000012
【図１２】
0006940855.tif 000013
【図１３】
0006940855.tif 000014
【図１４】
0006940855.tif 000015
【図１５】
0006940855.tif 000016
【図１６】
0006940855.tif 000017
【図１７】
0006940855.tif 000018
【図１８】
0006940855.tif 000019
【図１９】
0006940855.tif 000020
【図２０】
0006940855.tif 000021